(57)【要約】【課題】便座装置において、一日の気温変化が比較的大きくなる場合においても、使用者の便座部の温度に対する快適性の低下を抑制すること。【解決手段】便座装置１の制御装置１３は、複数の設定温度のうち使用者によって選択された設定温度である選択温度Ｔｈｓを、便座部２０の着座面Ｓの目標温度Ｔｈｔに設定する目標温度設定部１３ｂと、便座装置１が配置された室内の温度、使用者が便座部２０を使用した回数および選択温度Ｔｈｓに応じて、目標温度設定部１３ｂによって設定された着座面Ｓの目標温度Ｔｈｔを変更する目標温度変更部１３ｋと、を備えている。【選択図】  図９
2019013441.tif 000002
【特許請求の範囲】
【請求項１】
使用者に使用される場合に前記使用者が着座する着座面を有する便座部と、
前記便座部の内部に配置され、通電されることにより前記着座面を加熱する加熱装置と、
前記便座部の内部に配置され、前記着座面の温度を検出する第一温度センサと、
前記便座部が配置された室内の温度を検出する第二温度センサと、
前記着座面への前記使用者の着座を検出する着座検出装置と、
前記加熱装置を少なくとも制御する制御装置と、を備えた便座装置であって、
前記制御装置は、
複数の設定温度のうち前記使用者によって選択された設定温度を選択温度として取得する選択温度取得部と、
前記選択温度取得部によって取得された前記選択温度を、前記着座面の目標温度に設定する目標温度設定部と、
前記第一温度センサによって検出された前記着座面の温度を、前記目標温度設定部によって設定された前記着座面の目標温度となるように前記加熱装置の通電量を制御する温度制御部と、
一日の時間を複数の時間帯に分割して、各前記複数の時間帯内の前記着座検出装置によって検出された前記使用者の着座の回数を、前記使用者が前記便座部を使用した回数である使用回数として前記複数の時間帯毎に導出する使用回数導出部と、
前記第二温度センサによって検出された前記室内の温度、前記使用回数導出部によって導出された前記使用回数および前記選択温度取得部によって取得された前記選択温度に応じて、各前記複数の時間帯において前記目標温度設定部によって設定された前記着座面の目標温度を変更する目標温度変更部と、を備えている便座装置。
【請求項２】
前記制御装置は、
前記複数の時間帯のうち、前記使用回数導出部によって導出された前記使用回数が第一所定回数以上となった時間帯を第一時間として検出する第一時間検出部と、
前記選択温度が第一の所定設定温度以下であり、かつ、前記第二温度センサによって検出された前記室内の温度が所定温度以下である第一状態を検出する第一状態検出部と、をさらに備え、
前記目標温度変更部は、
前記第一時間検出部によって検出された前記第一時間内において前記第一状態検出部によって前記第一状態が検出されたとき、前記第一時間において前記目標温度設定部によって設定された前記着座面の目標温度を、前記複数の設定温度のうち前記第一の所定設定温度より温度が高い第二の所定設定温度に変更する請求項１に記載の便座装置。
【請求項３】
前記制御装置は、
前記複数の時間帯のうち、前記使用回数導出部によって導出された前記使用回数が第一所定回数未満となった時間帯を第二時間として検出する第二時間検出部と、
前記選択温度が第一の所定設定温度より高く、かつ、前記第二温度センサによって検出された前記室内の温度が所定温度より高い第二状態を検出する第二状態検出部と、をさらに備え、
前記目標温度変更部は、
前記第二時間検出部によって検出された前記第二時間内において前記第二状態検出部によって前記第二状態が検出されたとき、前記第二時間において前記目標温度設定部によって設定された前記着座面の目標温度を、前記第一の所定設定温度に変更する請求項１に記載の便座装置。
【請求項４】
前記制御装置は、
前記複数の時間帯のうち、前記使用回数導出部によって導出された前記使用回数が前記第一所定回数より少ない第二所定回数未満となった時間帯を第三時間として検出する第三時間検出部をさらに備え、
前記目標温度変更部は、
前記第三時間検出部によって検出された前記第三時間内において前記目標温度設定部によって設定された前記着座面の目標温度を、前記複数の設定温度のうち前記第一の所定設定温度より温度が低い第二の設定温度に変更する請求項２に記載の便座装置。
【発明の詳細な説明】
【技術分野】
【０００１】
本発明は、便座装置に関する。
【背景技術】
【０００２】
便座装置の一形式として、特許文献１に示されているものが知られている。特許文献１の便座装置は、トイレ室内の室温を検出する室温検出手段の検出結果と、便座を加熱するヒータ手段の温度を検出するヒータ温度検出手段の検出結果とに基づいて、便座の温度を推測し、当該推測した便座の温度を目標温度に近付けるようにヒータ手段の設定温度を補正するヒータ設定補正手段を備えている。便座装置は、ヒータ設定補正手段による補正後の設定温度に応じた電力をヒータ手段に通電することにより、便座の温度を使用者が設定した目標温度となるように一定に保つ制御を行う。
【先行技術文献】
【特許文献】
【０００３】
【特許文献１】特開２００７−３１２８８２号公報
【発明の概要】
【発明が解決しようとする課題】
【０００４】
季節が春先や初冬であるとき、一日の気温変化が比較的大きくなる場合がある。この場合、具体的には、朝夕の気温が比較的低く、日中の気温が比較的高くなる。このような場合に、使用者が、日中の比較的高い気温に応じて便座の目標温度を比較的低く設定することがある。
【０００５】
しかしながら、この便座の目標温度が比較的低いまま、この日の夕方において気温が比較的低くなった場合に、使用者が便座を使用したとき、使用者が便座の温度を比較的低いと感じることが考えられる。すなわち、便座の温度に対する使用者の快適性が低下することが考えられる。
【０００６】
そこで、本発明は、上述した課題を解消するためになされたもので、便座装置において、一日の気温変化が比較的大きくなる場合においても、使用者の便座部の温度に対する快適性の低下を抑制することを目的とする。
【課題を解決するための手段】
【０００７】
上記の課題を解決するため、請求項１に係る便座装置は、使用者に使用される場合に使用者が着座する着座面を有する便座部と、便座部の内部に配置され、通電されることにより着座面を加熱する加熱装置と、便座部の内部に配置され、着座面の温度を検出する第一温度センサと、便座部が配置された室内の温度を検出する第二温度センサと、着座面への使用者の着座を検出する着座検出装置と、加熱装置を少なくとも制御する制御装置と、を備えた便座装置であって、制御装置は、複数の設定温度のうち使用者によって選択された設定温度を選択温度として取得する選択温度取得部と、選択温度取得部によって取得された選択温度を、着座面の目標温度に設定する目標温度設定部と、第一温度センサによって検出された着座面の温度を、目標温度設定部によって設定された着座面の目標温度となるように加熱装置の通電量を制御する温度制御部と、一日の時間を複数の時間帯に分割して、各複数の時間帯内の着座検出装置によって検出された使用者の着座の回数を、使用者が便座部を使用した回数である使用回数として複数の時間帯毎に導出する使用回数導出部と、第二温度センサによって検出された室内の温度、使用回数導出部によって導出された使用回数および選択温度取得部によって取得された選択温度に応じて、各複数の時間帯において目標温度設定部によって設定された着座面の目標温度を変更する目標温度変更部と、を備えている。
【発明の効果】
【０００８】
これによれば、便座装置は、室内の温度、使用者の使用回数および使用者によって選択された設定温度である選択温度に応じて、着座面の目標温度を変更する。よって、一日の気温変化が比較的大きくなる場合においても、着座面の温度を適切に変更することができる。したがって、便座部の温度に対する使用者の快適性の低下を抑制することができる。
【図面の簡単な説明】
【０００９】
【図１】本発明による一実施形態に係る便座装置を示す斜視図である。
【図２】図１に示す便座装置の便座部の平面図である。
【図３】図２に示すIII−III線に沿った便座装置の便座部の断面図である。
【図４】図１に示す便座装置のブロック図である。
【図５】図１に示す制御装置が使用回数を導出するための学習期間において、時間帯毎に使用者が便座を使用した回数を表した表（表１）である。
【図６】図１に示す制御装置が導出した使用回数を表した表（表２）である。
【図７】図１に示す制御装置によって実行されるフローチャートである。
【図８】室内の温度の一日の変化を示す図であって、第一状態となる時間帯が示されている。
【図９】室内の温度が図８に示すように変化した場合に、図７に示すフローチャートが実行されたときにおける便座装置の動作を示すタイムチャートである。
【図１０】室内の温度の一日の変化を示す図であって、第二状態となる時間帯が示されている。
【図１１】室内の温度が図１０に示すように変化した場合に、図７に示すフローチャートが実行されたときにおける便座装置の動作を示すタイムチャートである。
【発明を実施するための形態】
【００１０】
以下、本発明による便座装置の一実施形態について図面を用いて説明する。なお、本明細書においては説明の便宜上、図１における上側および下側をそれぞれ便座装置１の上方および下方とし、同じく右下側および左上側をそれぞれ便座装置１の前方および後方とし、同じく左下側および右上側を、それぞれ便座装置１の左方および右方として説明する。
【００１１】
便座装置１は、本実施形態において、温水洗浄便座である。便座装置１は、図１に示すように、トイレルーム２（本発明の室に相当）に設置された腰掛式便器３に取り付けられている。便座装置１は、便座装置本体部１０、便座部２０、便座部２０を覆う便蓋部３０およびリモコン装置４０を備えている。
【００１２】
便座装置本体部１０は、ケーシング１０ａ、人体の局部の洗浄を行う洗浄装置（図示なし）、着座検出装置１１、室内温度センサ１２（本発明の第二温度センサに相当）、制御装置１３を備えている。
【００１３】
ケーシング１０ａは、中空の箱状に形成されている。ケーシング１０ａは、腰掛式便器３に取り付けられている。ケーシング１０ａは、便座部２０および便蓋部３０を回動可能に保持する。ケーシング１０ａには洗浄装置、着座検出装置１１、室内温度センサ１２、および、後述する加熱装置２２を少なくとも制御する制御装置１３が収容されている。
【００１４】
着座検出装置１１は、着座面Ｓへの使用者の着座を検出するものである。着座面Ｓは、便座部２０が使用者に使用される場合に使用者が着座する部位である（図２参照）。着座検出装置１１は、ケーシング１０ａの内側の上部に配置されている。着座検出装置１１は、対象物との距離を検出する赤外線方式の距離センサである。着座検出装置１１は、使用者が着座面Ｓに着座している場合にオン信号を出力し、使用者が着座面Ｓに着座していない場合にオフ信号を出力する。
【００１５】
使用者が着座面Ｓに着座した場合、使用者と着座検出装置１１との距離が比較的短くなる。これにより、着座検出装置１１の検出結果が所定距離以下であるとき、着座検出装置１１は、オン信号を出力する。一方、使用者が便座部２０に着座していないことにより、着座検出装置１１の検出結果が所定距離より長いとき、着座検出装置１１は、オフ信号を出力する。所定距離は、実験等により実測されて予め導出されている。着座検出装置１１の検出結果は、制御装置１３に出力される。
【００１６】
室内温度センサ１２は、便座部２０が配置されたトイレルーム２内の温度（以下、室内の温度とする。）を検出するものである。室内温度センサ１２は、ケーシング１０ａ内において室内の温度が検出可能な部位に配置されている。室内温度センサ１２によって検出された室内の温度である室内検出温度は、制御装置１３に出力される。
【００１７】
便座部２０は、使用者に使用される場合に使用者が着座する着座面Ｓを有するものである。便座部２０は、図２および図３に示すように、便座本体部２１、加熱装置２２および便座温度センサ２３（本発明の第一温度センサに相当）を備えている。
【００１８】
便座本体部２１は、便座部２０の平面視において環状に形成されている（図２参照）。便座本体部２１は、肉厚をおよそ一定とする中空状に形成されている（図３参照）。肉厚は、便座本体部２１を形成する側壁の厚みである。便座本体部２１は、熱可塑性樹脂によって形成されている。
【００１９】
また、便座本体部２１は、着座面Ｓを有している。着座面Ｓは、便座本体部２１の外表面のうち、使用者が上方から着座する部位である。着座面Ｓは、便座本体部２１の外表面における上側の部位である。着座面Ｓは、使用者が上方から着座した場合に使用者の人体が接触可能な範囲に設定されている。
【００２０】
加熱装置２２は、便座部２０（便座本体部２１）の内部に配置され、通電されることにより着座面Ｓを加熱するものである。加熱装置２２は、図３に示すように、便座本体部２１の上側壁２１ａの内側面に配置されている。すなわち、加熱装置２２は、着座面Ｓの反対面に配置されている。加熱装置２２は、便座本体部２１の上側壁２１ａを加熱することにより、着座面Ｓを加熱する。加熱装置２２は、シート部２２ａおよび発熱体２２ｂを備えている。
【００２１】
シート部２２ａは、シート状に形成されている。シート部２２ａは、発熱体２２ｂからの熱を上側壁２１ａの内側面に拡散させて、上側壁２１ａを介して着座面Ｓに伝達させるものである。シート部２２ａは、例えばアルミ箔である。シート部２２ａは、一方面（上面）が上側壁２１ａの内側面に接触するように配置されている。シート部２２ａの一方面と上側壁２１ａの内側面とが、例えば接着剤によって固定されている。
【００２２】
発熱体２２ｂは、着座面Ｓを加熱するものである。発熱体２２ｂは、コード状の発熱体によって構成されたコードヒータである。発熱体２２ｂは、制御装置１３を介して電源部（図示なし）から電力が供給されることにより発熱する。電源部は、交流の系統電源である。
【００２３】
発熱体２２ｂは、具体的には、発熱部２２ｂ１および絶縁被覆２２ｂ２を備えている。発熱部２２ｂ１は、例えばガラス繊維からなる線芯（図示なし）に電熱用合金線（図示なし）が螺旋状に巻付けられたものである。絶縁被覆２２ｂ２は、絶縁性を有し、発熱部２２ｂ１の外周を覆うものである。絶縁被覆２２ｂ２は、例えばポリ塩化ビニルによって設けられている。
【００２４】
発熱体２２ｂは、シート部２２ａの他方面（下面）に配置されている。発熱体２２ｂは、絶縁被覆２２ｂ２がシート部２２ａに溶着されて固定される。シート部２２ａおよび発熱体２２ｂによって構成される加熱装置２２は、面状発熱体である。
【００２５】
便座温度センサ２３は、便座部２０（便座本体部２１）の内部に配置され、着座面Ｓの温度を検出するものである。便座温度センサ２３は、シート部２２ａの他方面に配置されている。便座温度センサ２３は、上側壁２１ａの内側面の温度を検出することにより、着座面Ｓの温度を間接的に検出する。便座温度センサ２３によって検出された温度である便座検出温度は、制御装置１３に出力される。
【００２６】
リモコン装置４０は、便座装置１を遠隔操作するものである。リモコン装置４０と制御装置１３は、無線または有線によって互いに通信可能に設けられている。リモコン装置４０は、図１に示すように、便座装置１を操作するスイッチを複数備えている。スイッチは、洗浄装置を動作させるスイッチである洗浄スイッチＳＷ１、および、着座面Ｓの温度を、後述する複数の設定温度から選択するスイッチである選択スイッチＳＷ２を少なくとも備えている。
【００２７】
また、リモコン装置４０は、時計機能を有している。リモコン装置４０は、現時点の時刻を表示部（図示なし）に表示する。リモコン装置４０は、使用者によって時計合わせが行われる。なお、制御装置１３の時刻は、リモコン装置４０によって計測されている時刻と同期されている。
【００２８】
また、制御装置１３は、図４に示すように、選択温度取得部１３ａ、目標温度設定部１３ｂ、温度制御部１３ｃ、第一状態検出部１３ｄ、第二状態検出部１３ｅ、記憶部１３ｆ、使用回数導出部１３ｇ、第一時間検出部１３ｈ、第二時間検出部１３ｉ、第三時間検出部１３ｊおよび目標温度変更部１３ｋを備えている。
【００２９】
選択温度取得部１３ａは、複数の設定温度のうち使用者によって選択された設定温度を選択温度Ｔｈｓとして取得するものである。設定温度は、着座面Ｓの目標温度Ｔｈｔを設定するための温度として、予め設定された温度である。設定温度は、第一の設定温度〜第六の設定温度まで６つ設定されている（図９，１１参照）。第一の設定温度から順に第六の設定温度に向かうにしたがって、温度が高くなるように設定されている。第一の設定温度〜第六の設定温度は、比較的低い環境温度である所定環境温度（例えば５℃）にて予め実験等によって着座面Ｓの温度が実測されて設定されている。環境温度は、便座装置１に対して実験を行う場合における便座装置１の周囲の温度である。
【００３０】
選択温度Ｔｈｓは、複数の設定温度のうち使用者によって選択された設定温度である。選択温度Ｔｈｓは、使用者によって選択スイッチＳＷ２が押圧されることにより選択される。
【００３１】
目標温度設定部１３ｂは、選択温度取得部１３ａによって取得された選択温度Ｔｈｓを、着座面Ｓの目標温度Ｔｈｔに設定するものである。
【００３２】
温度制御部１３ｃは、便座温度センサ２３によって検出された着座面Ｓの温度（便座検出温度）を、目標温度設定部１３ｂによって設定された着座面Ｓの目標温度Ｔｈｔとなるように加熱装置２２の通電量を制御する。温度制御部１３ｃは、具体的には、便座検出温度を使用して、加熱装置２２（発熱体２２ｂ）をオンオフ制御することにより、着座面Ｓの温度を着座面Ｓの目標温度Ｔｈｔに調整する。
【００３３】
第一状態検出部１３ｄは、選択温度Ｔｈｓが第一の所定設定温度Ｔｈｐ１以下であり、かつ、室内温度センサ１２によって検出された室内の温度（室内検出温度）が所定温度Ｔｈｐｓ以下である第一状態Ｓ１を検出するものである。第一の所定設定温度Ｔｈｐ１は、本実施形態においては、複数の設定温度のうち温度が低い方の設定温度である第三の設定温度に設定されている。第一の所定設定温度Ｔｈｐ１（第三の設定温度）は、環境温度が所定環境温度である場合に使用者が着座面Ｓに着座したとき、使用者が着座面Ｓを冷たくないと感じる温度（例えば２８℃）に設定されている。
【００３４】
所定温度Ｔｈｐｓは、使用者が肌寒いと感じる温度に設定されている。所定温度Ｔｈｐｓは、所定環境温度以上の温度に設定されている。所定温度Ｔｈｐｓは、例えば１０℃である。第一状態検出部１３ｄは、選択温度取得部１３ａによって取得された選択温度Ｔｈｓおよび室内検出温度を使用して第一状態Ｓ１を検出する。
【００３５】
第二状態検出部１３ｅは、選択温度Ｔｈｓが第一の所定設定温度Ｔｈｐ１より高く、かつ、室内温度センサ１２によって検出された室内の温度が所定温度Ｔｈｐｓより高い第二状態Ｓ２を検出するものである。第二状態検出部１３ｅは、選択温度取得部１３ａによって取得された選択温度Ｔｈｓおよび室内検出温度を使用して第二状態Ｓ２を検出する。
【００３６】
記憶部１３ｆは、着座検出装置１１によって検出された使用者の着座を時系列に記憶するものである。記憶部１３ｆは、着座検出装置１１からオン信号が出力された時、使用者の着座があったことを記憶する。
【００３７】
使用回数導出部１３ｇは、一日の時間を複数の時間帯に分割して、各複数の時間帯内の着座検出装置１１によって検出された使用者の着座の回数（オン信号が出力された回数）を、使用者が便座部２０を使用した回数である使用回数として複数の時間帯毎に導出する。
【００３８】
複数の時間帯は、本実施形態において、一日の時間（二十四時間）を均等に十六分割することにより設けられている。複数の時間帯は、具体的には、図５の表１に示すように、午前零時からの二十四時間をi〜xviの時間帯に分割されている。すなわち、一つの時間帯の時間は、一時間三十分である。
【００３９】
使用回数導出部１３ｇは、便座装置１の電源がオンされて最初の午前零時から、記憶部１３ｆに記憶された使用者の着座の回数（オン信号が出力された回数）を時間帯毎に順にカウントする。また、使用回数導出部１３ｇは、このカウントを、使用回数を導出するための学習期間として、１４日間（２４時間×１４；二週間）実行する。例えば、学習期間三日目における各時間帯内のオン信号が出力された回数は、時間帯i〜xviの順に、０回、０回、０回、１回、３回、４回、１回、０回、１回、０回、１回、１回、３回、１回、４回、１回である。
【００４０】
さらに、使用回数導出部１３ｇは、学習期間におけるオン信号が出力された回数の平均値を、使用者が便座部２０を使用した回数である使用回数として時間帯毎に導出する。具体的には、図６の表２に示すように、一日目および八日目の学習期間におけるオン信号が出力された回数の平均値が、第一の組み合わせＰ１における使用回数として時間帯毎に導出される。
【００４１】
さらに、二日目および九日目の学習期間におけるオン信号が出力された回数の平均値が、第二の組み合わせＰ２における使用回数として時間帯毎に導出される。同様に、三日目および十日目の学習期間におけるオン信号が出力された回数の平均値が、第三の組み合わせＰ３における使用回数として時間帯毎に導出される。同様に、四日目および十一目の学習期間の各時間帯内におけるオン信号が出力された回数の平均値が、第四の組み合わせＰ４における使用回数として時間帯毎に導出される。同様に、五日目および十二目の学習期間におけるオン信号が出力された回数の平均値が、第五の組み合わせＰ５における使用回数として時間帯毎に導出される。同様に、六日目および十三目の学習期間におけるオン信号が出力された回数の平均値が、第六の組み合わせＰ６における使用回数として時間帯毎に導出される。同様に、七日目および十四目の学習期間におけるオン信号が出力された回数の平均値が、第七の組み合わせＰ７における使用回数として時間帯毎に導出される。
【００４２】
すなわち、各使用回数は、各組み合わせにおけるオン信号が出力された回数の平均値として時間帯毎に導出される。例えば、第三の組み合わせＰ３における使用回数は、時間帯i〜xviの順に、０回、０回、０回、１回、３回、４回、１回、１回、１回、１回、１回、１回、３回、１回、４回、１回である。また、使用回数導出部１３ｇは、時間の経過とともに、図５の表１における各時間帯内におけるオン信号が出力された回数、および、図６の表２の各使用回数を順次更新する。なお、組み合わせは七つあるため、組み合わせの各々は、曜日の各々に対応する。
【００４３】
図４に戻って説明を続ける。
第一時間検出部１３ｈは、複数の時間帯のうち、使用回数導出部１３ｇによって導出された使用回数が第一所定回数以上となった時間帯を第一時間Ｔｍ１として検出するものである。第一所定回数は、一つの時間帯のうち、便座部２０が使用された回数（オン信号が出力された回数）が比較的多い回数（例えば３回）に設定されている。
【００４４】
例えば、第三の組み合わせＰ３においては、第五の時間帯v，第六の時間帯vi，第十三の時間帯xiiiおよび第十五の時間帯xvが、第一所定回数以上となった時間帯に相当するため、第一時間検出部１３ｈによって第一時間Ｔｍ１として検出される。
【００４５】
第二時間検出部１３ｉは、複数の時間帯のうち、使用回数導出部１３ｇによって導出された使用回数が第一所定回数未満となった時間帯を第二時間Ｔｍ２として検出するものである。第二時間Ｔｍ２は、本実施形態において、複数の時間帯のうち、使用回数導出部１３ｇによって導出された使用回数が第一所定回数より少ない第二所定回数以上、かつ、第一所定回数未満となった時間帯である。第二所定回数は、使用者によって一つの時間帯のうち、便座部２０が使用された回数（オン信号が出力された回数）が比較的少ない回数（例えば１回）に設定されている。
【００４６】
例えば、第三の組み合わせＰ３においては、第四の時間帯iv、第七の時間帯vii〜第十二の時間帯xii、第十四の時間帯xiv、第十六の時間帯xviが、第二所定回数以上かつ第一所定回数未満となった時間帯に相当するため、第二時間検出部１３ｉによって第二時間Ｔｍ２として検出される。
【００４７】
第三時間検出部１３ｊは、複数の時間帯のうち、使用回数導出部１３ｇによって導出された使用回数が第一所定回数より少ない第二所定回数未満となった時間帯を第三時間Ｔｍ３として検出するものである。例えば、第三の組み合わせＰ３においては、第一の時間帯i〜第三の時間帯iiiが、第二所定回数未満となった時間帯に相当するため、第三時間検出部１３ｊによって第三時間Ｔｍ３として検出される。
【００４８】
目標温度変更部１３ｋは、室内温度センサ１２によって検出された室内の温度（室内検出温度）、使用回数導出部１３ｇによって導出された使用回数および選択温度取得部１３ａによって取得された選択温度Ｔｈｓに応じて、各複数の時間帯において目標温度設定部１３ｂによって設定された着座面Ｓの目標温度Ｔｈｔを変更するものである。
【００４９】
目標温度変更部１３ｋは、具体的には、第一時間検出部１３ｈによって検出された第一時間Ｔｍ１内において第一状態検出部１３ｄによって第一状態Ｓ１が検出されたとき、第一時間Ｔｍ１において目標温度設定部１３ｂによって設定された着座面Ｓの目標温度Ｔｈｔを、複数の設定温度のうち第一の所定設定温度Ｔｈｐ１より温度が高い第二の所定設定温度Ｔｈｐ２に変更する。第二の所定設定温度Ｔｈｐ２は、本実施形態において、第四の設定温度である。
【００５０】
例えば、日中の気温が比較的高いために、使用者が第一の所定設定温度Ｔｈｐ１以下の設定温度を選択した場合において、夕方になって気温が下がり、室内検出温度が所定温度Ｔｈｐｓ以下となって第一状態Ｓ１が検出されたとき、使用者が着座面Ｓに着座した場合に着座面Ｓの温度が低いと使用者が感じる場合があると考えられる。
【００５１】
よって、使用回数が第一所定回数以上である第一時間Ｔｍ１内に室内の温度が比較的低い第一状態Ｓ１が検出された場合においては、使用者の快適性を優先して、着座面Ｓの目標温度Ｔｈｔを第一の所定設定温度Ｔｈｐ１より温度が高い第二の所定設定温度Ｔｈｐ２に変更することにより、着座面Ｓの温度が低いと使用者が感じることを抑制している。
【００５２】
また、目標温度変更部１３ｋは、第二時間検出部１３ｉによって検出された第二時間Ｔｍ２内において第二状態検出部１３ｅによって第二状態Ｓ２が検出されたとき、第二時間Ｔｍ２において目標温度設定部１３ｂによって設定された着座面Ｓの目標温度Ｔｈｔを、第一の所定設定温度Ｔｈｐ１に変更する。
【００５３】
例えば、朝方の気温が比較的低いために、使用者が第一の所定設定温度Ｔｈｐ１より温度が高い設定温度を選択した場合において、日中になって気温が上がり、室内検出温度が所定温度Ｔｈｐｓより高くなって第二状態Ｓ２が検出されたとき、使用回数が比較的少ない場合には、省エネ性を優先することができる。
【００５４】
すなわち、使用回数が第二所定回数以上かつ第一所定回数未満である第二時間Ｔｍ２内において室内の温度が比較的高い第二状態Ｓ２が検出された場合においては、着座面Ｓの目標温度Ｔｈｔを、使用者が冷たいと感じない温度である第一の所定設定温度Ｔｈｐ１に変更することにより、便座装置１の省エネ化を図る。
【００５５】
さらに、目標温度設定部１３ｂは、第三時間検出部１３ｊによって検出された第三時間Ｔｍ３内において目標温度設定部１３ｂによって設定された着座面Ｓの目標温度Ｔｈｔを、複数の設定温度のうち第一の所定設定温度Ｔｈｐ１より温度が低い第三の所定設定温度Ｔｈｐ３に変更する。第三の所定設定温度Ｔｈｐ３は、本実施形態において、第一の設定温度である。
【００５６】
使用回数が第二所定回数未満であることにより使用回数が極めて少ない第三時間Ｔｍ３内においては、着座面Ｓの目標温度Ｔｈｔを、第一の所定設定温度Ｔｈｐ１より温度が低い第三の所定設定温度Ｔｈｐ３に変更することにより、便座装置１の省エネ化をさらに図っている。
【００５７】
次に、上述した制御装置１３が実行する目標温度Ｔｈｔを変更する制御である目標温度変更制御について、図７のフローチャートを用いて説明する。加熱装置２２が着座面Ｓの温度を目標温度Ｔｈｔとするようにオンオフ制御している場合、目標温度変更制御が実行される。
【００５８】
制御装置１３は、ステップＳ１０２にて選択温度Ｔｈｓを取得し（選択温度取得部１３ａ）、ステップＳ１０４にて選択温度Ｔｈｓを目標温度Ｔｈｔに設定する（目標温度設定部１３ｂ）。続けて、制御装置１３は、ステップＳ１０６にて使用者の着座を時系列に記憶し（記憶部１３ｆ）、ステップＳ１０８にて使用回数を時間帯毎に導出する（使用回数導出部１３ｇ）。さらに、制御装置１３は、ステップＳ１１０にて、第一時間Ｔｍ１乃至第三時間Ｔｍ３を検出する（第一時間検出部１３ｈ、第二時間検出部１３ｉ、第三時間検出部１３ｊ）。
【００５９】
続けて、制御装置１３は、ステップＳ１１２にて、現時点が第一時間Ｔｍ１であるか否かを判定する。例えば、現時点が該当する時間帯の使用回数が第一所定回数以上である場合、現時点は第一時間Ｔｍ１である。この場合、制御装置１３は、ステップＳ１１２にて「ＹＥＳ」と判定し、ステップＳ１１４にて現時点が第一状態Ｓ１であるか否かを判定する（第一状態検出部１３ｄ）。
【００６０】
選択温度Ｔｈｓが第一の所定設定温度Ｔｈｐ１より高い設定温度である場合、または、室内の温度が所定温度Ｔｈｐｓより高い場合、現時点は第一状態Ｓ１でない。この場合、制御装置１３は、ステップＳ１１４にて「ＮＯ」と判定し、目標温度Ｔｈｔを変更せずにプログラムをステップＳ１０２に戻す。
【００６１】
一方、ステップＳ１１４の時点において、選択温度Ｔｈｓが第一の所定設定温度Ｔｈｐ１以下の設定温度であり、かつ、室内の温度が所定温度Ｔｈｐｓ以下である場合、ステップＳ１１４の時点は第一状態Ｓ１である。この場合、制御装置１３は、ステップＳ１１４にて「ＹＥＳ」と判定する。続けて、制御装置１３は、ステップＳ１１６にて目標温度Ｔｈｔを第二の所定設定温度Ｔｈｐ２に変更し（目標温度変更部１３ｋ）、プログラムをステップＳ１１２に戻す。
【００６２】
また、ステップＳ１１２の時点が該当する時間帯の使用回数が第一所定回数未満である場合、ステップＳ１１２の時点は第一時間Ｔｍ１でない。この場合、制御装置１３は、ステップＳ１１２にて「ＮＯ」と判定し、ステップＳ１１８にて現時点が第二時間Ｔｍ２であるか否かを判定する。
【００６３】
ステップＳ１１８の時点が該当する時間帯の使用回数が第二所定回数以上かつ第一所定回数未満である場合、ステップＳ１１８の時点は第二時間Ｔｍ２である。この場合、制御装置１３は、ステップＳ１１８にて「ＹＥＳ」と判定し、ステップＳ１２０にて第二状態Ｓ２であるか否かを判定する（第二状態検出部１３ｅ）。
【００６４】
例えば、選択温度Ｔｈｓが第一の所定設定温度Ｔｈｐ１以下の設定温度である場合、または、室内の温度が所定温度Ｔｈｐｓ以下である場合、現時点は第二状態Ｓ２でない。この場合、制御装置１３は、ステップＳ１２０にて「ＮＯ」と判定し、目標温度Ｔｈｔを変更せずにプログラムをステップＳ１０２に戻す。
【００６５】
一方、ステップＳ１２０の時点において、選択温度Ｔｈｓが第一の所定設定温度Ｔｈｐ１より高い設定温度であり、かつ、室内の温度が所定温度Ｔｈｐｓより高い場合、ステップＳ１２０の時点は第二状態Ｓ２である。この場合、制御装置１３は、ステップＳ１２０にて「ＹＥＳ」と判定する。続けて、制御装置１３は、ステップＳ１２２にて目標温度Ｔｈｔを第一の所定設定温度Ｔｈｐ１に変更し（目標温度変更部１３ｋ）、プログラムをステップＳ１１８に戻す。
【００６６】
また、ステップＳ１１８の時点が該当する使用回数が第二所定回数未満である場合、ステップＳ１１８の時点は第二時間Ｔｍ２でない。この場合、制御装置１３は、ステップＳ１１８にて「ＮＯ」と判定し、ステップＳ１２４にて現時点が第三時間Ｔｍ３であるか否かを判定する。
【００６７】
ステップＳ１２４の時点が該当する使用回数が第二所定回数未満である場合、ステップＳ１２４の時点は第三時間Ｔｍ３である。この場合、制御装置１３は、ステップＳ１２４にて「ＹＥＳ」と判定し、ステップＳ１２６にて目標温度Ｔｈｔを第三の所定設定温度Ｔｈｐ３に変更する（目標温度変更部１３ｋ）。そして、制御装置１３は、プログラムをステップＳ１２４に戻す。
【００６８】
一方、ステップＳ１２４の時点が該当する使用回数が第二所定回数以上である場合、ステップＳ１２４の時点は第三時間Ｔｍ３でない。この場合、制御装置１３は、ステップＳ１２４にて「ＮＯ」と判定し、目標温度Ｔｈｔを変更せずにプログラムをステップＳ１０２に戻す。
【００６９】
次に、図８に示すように室内の温度が変化した場合について、上述したフローチャートが実行されたときにおける便座装置１の動作について、図９のタイムチャートを用いて説明する。またこの場合、選択温度Ｔｈｓが第二の設定温度であることにより第二の設定温度が目標温度Ｔｈｔとして設定（ステップＳ１０２，Ｓ１０４）されている。
【００７０】
また、図８に示す室内の温度は、冬季（例えば１２月）の室内の温度であり、一日の温度変化が比較的大きい時期のものである。具体的には、この室内の温度は、零時から十時まで所定温度Ｔｈｐｓ以下にて推移し、十時から十七時三十分まで所定温度Ｔｈｐｓより高い温度にて推移する。さらに、十七時三十分から二十四時においては、所定温度Ｔｈｐｓ以下にて推移する。また、この場合、選択温度Ｔｈｓが第一の所定設定温度Ｔｈｐ１以下であるため、零時から十時まで、および、十七時三十分から二十四時までが、第一状態Ｓ１に相当する。
【００７１】
さらに、学習期間が経過して、表２（図６参照）のように使用回数が導出された後（ステップＳ１０８）、第三の組み合わせＰ３のように使用回数が推移した場合の便座装置１の動作について説明する。
【００７２】
第三の組み合わせＰ３において、第五，第六，第十三，第十五の時間帯v，vi，xiii，xvは、使用回数が第一所定回数以上であるため、第一時間Ｔｍ１として検出される（ステップＳ１１０）。また、第三の組み合わせＰ３において、第四，第七〜第十二，第十四，第十六の時間帯iv，vii〜xii，xiv，xviが、第二所定回数以上かつ第一所定回数未満であるため、第二時間Ｔｍ２として検出される（ステップＳ１１０）。さらに、第三の組み合わせＰ３において、第一〜第三の時間帯i〜iiiは、第二所定回数未満であるため、第三時間Ｔｍ３として検出される（ステップＳ１１０）。
【００７３】
図９に示すように、第一の時間帯iにおいては、室内の温度および選択温度Ｔｈｓが共に比較的低い第一状態Ｓ１であるが使用回数が極めて少ない第三時間Ｔｍ３に相当する。よって、上述したように便座装置１の省エネ化が優先されて、目標温度Ｔｈｔが選択温度Ｔｈｓ（第二の設定温度）より低い第三の所定設定温度Ｔｈｐ３（第一の設定温度）に変更される（ステップＳ１２４，１２６）。なお、図８において、選択温度Ｔｈｓは破線にて、目標温度Ｔｈｔは、太実線にて示されている。
【００７４】
また、第一の時間帯iから時間が経過した第二，第三の時間帯ii，iiiにおいても、第三時間Ｔｍ３に相当する。よって、上述したように便座装置１の省エネ化が優先されて、目標温度Ｔｈｔが第三の所定設定温度Ｔｈｐ３に変更されたままである（ステップＳ１２４，１２６）。
【００７５】
さらに時間が経過して第四の時間帯ivとなった時は、使用回数が微増して、使用回数が比較的少ない第二時間Ｔｍ２に相当するが、第一状態Ｓ１のままである。よって、着座面Ｓの目標温度Ｔｈｔは、選択温度Ｔｈｓに設定される（ステップＳ１１８，Ｓ１２０，Ｓ１０４）。
【００７６】
続けて時間が経過して第五の時間帯vとなった時は、使用回数がさらに増加して、使用回数が比較的多い第一時間Ｔｍ１に相当し、かつ、第一状態Ｓ１である。よって、上述したように使用者の快適性が優先されて、着座面Ｓの目標温度Ｔｈｔが選択温度Ｔｈｓ（第二の設定温度）より高い第二の所定設定温度Ｔｈｐ２（第四の設定温度）に変更される（ステップＳ１１２，Ｓ１１４，Ｓ１１６）。そして、第六の時間帯viも同様に、着座面Ｓの目標温度Ｔｈｔが第二の所定設定温度Ｔｈｐ２（第四の設定温度）に変更される。
【００７７】
さらに時間が経過して第七の時間帯viiとなった時は、使用回数が微減して、使用回数が比較的少ない第二時間Ｔｍ２に相当するが、選択温度Ｔｈｓが比較的低いままであるため第二状態Ｓ２でない。よって、着座面Ｓの目標温度Ｔｈｔは、選択温度Ｔｈｓに設定される（ステップＳ１１８，Ｓ１２０，Ｓ１０４）。そして、第八〜第十二の時間帯viii〜xiiについても同様に、着座面Ｓの目標温度Ｔｈｔは、選択温度Ｔｈｓに設定される。
【００７８】
続けて時間が経過して第十三の時間帯xiiiになった時は、使用回数が増加した第一時間Ｔｍ１に相当し、かつ、室内の温度が低下して第一状態Ｓ１となる。よって、上述したように使用者の快適性が優先されて、着座面Ｓの目標温度Ｔｈｔが第二の所定設定温度Ｔｈｐ２（第四の設定温度）に変更される（ステップＳ１１２，Ｓ１１４，Ｓ１１６）。
【００７９】
さらに時間が経過して第十四の時間帯xivになった時は、使用回数が微減した第二時間Ｔｍ２に相当するが、第一状態Ｓ１のままである。よって、着座面Ｓの目標温度Ｔｈｔは、選択温度Ｔｈｓに設定される（ステップＳ１１８，Ｓ１２０，Ｓ１０４）。
【００８０】
第十五の時間帯xvについては、第十三の時間帯xiiiと同様に、着座面Ｓの目標温度Ｔｈｔが第二の所定設定温度Ｔｈｐ２（第四の設定温度）に変更される。そして、第十六の時間帯xviについては、第十四の時間帯xivと同様に、着座面Ｓの目標温度Ｔｈｔは、選択温度Ｔｈｓに設定される。
【００８１】
次に、図１０に示すように室内の温度が変化した場合について、上述したフローチャートが実行されたときにおける便座装置１の動作について、図１１のタイムチャートを用いて説明する。またこの場合、選択温度Ｔｈｓが第四の設定温度であることにより第四の設定温度が目標温度Ｔｈｔとして設定（ステップＳ１０２，Ｓ１０４）されている。
【００８２】
また、図１０に示す室内の温度は、図８に示した室内の温度と同じである。しかし、この場合、選択温度Ｔｈｓが第一の所定設定温度Ｔｈｐ１より高いため、十時から十七時三十分までが、第二状態Ｓ２に相当する。
【００８３】
さらに、学習期間が経過して、表２（図６参照）のように使用回数が導出された後（ステップＳ１０８）、第三の組み合わせＰ３のように使用回数が推移した場合の便座装置１の動作について説明する。すなわち、図１１に示すように、第一時間Ｔｍ１乃至第三時間Ｔｍ３が上述した場合と同様に検出される（ステップＳ１１０）。
【００８４】
第一〜第三の時間帯i〜iiiにおいては、使用回数が極めて少ない第三時間Ｔｍ３に相当する。よって、上述したように便座装置１の省エネ化が優先されて、目標温度Ｔｈｔが選択温度Ｔｈｓ（第四の設定温度）より低い第三の所定設定温度Ｔｈｐ３（第一の設定温度）に変更される（ステップＳ１２４，１２６）。なお、図１１においても、選択温度Ｔｈｓは破線にて、目標温度Ｔｈｔは、太実線にて示されている。
【００８５】
さらに時間が経過して第四の時間帯ivとなった時は、使用回数が微増して、使用回数が比較的少ない第二時間Ｔｍ２に相当するが、第二状態Ｓ２でない。よって、着座面Ｓの目標温度Ｔｈｔは、選択温度Ｔｈｓに設定される（ステップＳ１１８，Ｓ１２０，Ｓ１０４）。
【００８６】
続けて時間が経過して第五の時間帯vおよび第六の時間帯viとなった時は、使用回数がさらに増加して、使用回数が比較的多い第一時間Ｔｍ１に相当するが、第一状態Ｓ１でない。よって、着座面Ｓの目標温度Ｔｈｔは、選択温度Ｔｈｓに設定される（ステップＳ１１２，Ｓ１１４，Ｓ１０４）。
【００８７】
さらに時間が経過して第七の時間帯viiとなった時は、使用回数が微減した第二時間Ｔｍ２に相当する。第七の時間帯viiにおいて、第二状態Ｓ２が検出されていない時は、着座面Ｓの目標温度Ｔｈｔは、選択温度Ｔｈｓに設定される（ステップＳ１１８，Ｓ１２０，Ｓ１０４）。
【００８８】
そして、時間が経過して、第七の時間帯viiにおいて、第二状態Ｓ２が検出された時は、上述したように便座装置１の省エネ化が優先されて、目標温度Ｔｈｔが選択温度Ｔｈｓ（第四の設定温度）より低い第一の所定設定温度Ｔｈｐ１（第三の設定温度）に変更される（ステップＳ１１８，Ｓ１２０，Ｓ１２２）。
【００８９】
また、第八の時間帯〜第十二の時間帯xiiにおいても第七の時間帯viiと同様に、目標温度Ｔｈｔが選択温度Ｔｈｓ（第四の設定温度）より低い第一の所定設定温度Ｔｈｐ１（第三の設定温度）に変更される。なお、第十二の時間帯xiiの途中において、第二状態Ｓ２が検出されなくなるため、目標温度Ｔｈｔが選択温度Ｔｈｓ（第四の設定温度）に設定される（ステップＳ１１８，Ｓ１２０，Ｓ１０４）。
【００９０】
さらに時間が経過して第十三の時間帯xiiiとなった時は、使用回数が増加した第一時間Ｔｍ１に相当するが、第一状態Ｓ１が検出されていない。よって、着座面Ｓの目標温度Ｔｈｔは、選択温度Ｔｈｓに設定される（ステップＳ１１２，Ｓ１１４，Ｓ１０４）。
【００９１】
そして、さらに時間が経過した第十四〜第十六の時間帯xviにおいては、第一時間Ｔｍ１または第二時間Ｔｍ２に相当するが、第一状態Ｓ１または第二状態Ｓ２が検出されていない。よって、着座面Ｓの目標温度Ｔｈｔは、選択温度Ｔｈｓに設定される（ステップＳ１１２，Ｓ１１４，Ｓ１１８，Ｓ１２０，Ｓ１０４）。
【００９２】
本実施形態によれば、便座装置１は、使用者に使用される場合に使用者が着座する着座面Ｓを有する便座部２０と、便座部２０の内部に配置され、通電されることにより着座面Ｓを加熱する加熱装置２２と、便座部２０の内部に配置され、着座面Ｓの温度を検出する便座温度センサ２３と、便座部２０が配置された室内の温度を検出する室内温度センサ１２と、着座面Ｓへの使用者の着座を検出する着座検出装置１１と、加熱装置２２を少なくとも制御する制御装置１３と、を備えている。制御装置１３は、複数の設定温度のうち使用者によって選択された設定温度を選択温度Ｔｈｓとして取得する選択温度取得部１３ａと、選択温度取得部１３ａによって取得された選択温度Ｔｈｓを、着座面Ｓの目標温度Ｔｈｔに設定する目標温度設定部１３ｂと、便座温度センサ２３によって検出された着座面Ｓの温度を、目標温度設定部１３ｂによって設定された着座面Ｓの目標温度Ｔｈｔとなるように加熱装置２２の通電量を制御する温度制御部１３ｃと、一日の時間を複数の時間帯に分割して、各複数の時間帯内の着座検出装置１１によって検出された使用者の着座の回数を、使用者が便座部２０を使用した回数である使用回数として複数の時間帯毎に導出する使用回数導出部１３ｇと、室内温度センサ１２によって検出された室内の温度、使用回数導出部１３ｇによって導出された使用回数および選択温度取得部１３ａによって取得された選択温度Ｔｈｓに応じて、各複数の時間帯において目標温度設定部１３ｂによって設定された着座面Ｓの目標温度Ｔｈｔを変更する目標温度変更部１３ｋと、を備えている。
【００９３】
これによれば、便座装置１は、室内の温度、使用者の使用回数および使用者によって選択された設定温度である選択温度Ｔｈｓに応じて、着座面Ｓの目標温度Ｔｈｔを変更する。よって、一日の気温変化が比較的大きくなる場合においても、着座面Ｓの温度を適切に変更することができる。したがって、便座部２０の温度に対する使用者の快適性の低下を抑制することができる。
【００９４】
また、便座装置１は、使用者の使用回数に応じて着座面Ｓの目標温度Ｔｈｔを変更する。このため、使用者の使用回数が比較的少ないときに、着座面Ｓの温度が比較的高くなるように変更されることを抑制することができる。したがって、便座装置１の消費電力量を抑制しつつ、便座部２０の温度に対する使用者の快適性の低下を抑制することができる。
【００９５】
また、制御装置１３は、複数の時間帯のうち、使用回数導出部１３ｇによって導出された使用回数が第一所定回数以上となった時間帯を第一時間Ｔｍ１として検出する第一時間検出部１３ｈと、選択温度Ｔｈｓが第一の所定設定温度Ｔｈｐ１以下であり、かつ、室内温度センサ１２によって検出された室内の温度が所定温度Ｔｈｐｓ以下である第一状態Ｓ１を検出する第一状態検出部１３ｄと、をさらに備えている。目標温度変更部１３ｋは、第一時間検出部１３ｈによって検出された第一時間Ｔｍ１内において第一状態検出部１３ｄによって第一状態Ｓ１が検出されたとき、第一時間Ｔｍ１において目標温度設定部１３ｂによって設定された着座面Ｓの目標温度Ｔｈｔを、複数の設定温度のうち第一の所定設定温度Ｔｈｐ１より温度が高い第二の所定設定温度Ｔｈｐ２に変更する。
【００９６】
これによれば、一日のうち使用者の使用回数が第一所定回数以上である第一時間Ｔｍ１内において、使用者が選択した着座面Ｓの目標温度Ｔｈｔである選択温度Ｔｈｓが第一の所定設定温度Ｔｈｐ１以下であり、かつ、室内の温度が所定温度Ｔｈｐｓ以下である場合、便座装置１は、着座面Ｓの目標温度Ｔｈｔを第一の所定設定温度Ｔｈｐ１より温度が高い第二の所定設定温度Ｔｈｐ２に変更する。よって、使用回数が比較的多い場合、室内の温度が所定温度Ｔｈｐｓ以下であるときに、着座面Ｓの温度が第一の所定設定温度Ｔｈｐ１以下のまま、便座部２０が使用されることが抑制される。したがって、便座部２０の温度に対する使用者の快適性の低下を抑制することができる。
【００９７】
また、室内の温度が所定温度Ｔｈｐｓ以下であるとき、一日のうち使用者の使用回数が第一所定回数以上である第一時間Ｔｍ１内において、便座装置１は、着座面Ｓの目標温度Ｔｈｔを高くするように変更する。よって、使用者の使用回数が比較的少ない場合に、便座部２０の温度が比較的高くなるように変更されることが抑制される。したがって、便座装置１の消費電力量を抑制しつつ、便座部２０の温度に対する使用者の快適性を抑制することができる。
【００９８】
また、制御装置１３は、複数の時間帯のうち、使用回数導出部１３ｇによって導出された使用回数が第二所定回数以上かつ第一所定回数未満となった時間帯を第二時間Ｔｍ２として検出する第二時間検出部１３ｉと、選択温度Ｔｈｓが第一の所定設定温度Ｔｈｐ１より高く、かつ、室内温度センサ１２によって検出された室内の温度が所定温度Ｔｈｐｓより高い第二状態Ｓ２を検出する第二状態検出部１３ｅと、をさらに備えている。目標温度変更部１３ｋは、第二時間検出部１３ｉによって検出された第二時間Ｔｍ２内において第二状態検出部１３ｅによって第二状態Ｓ２が検出されたとき、第二時間Ｔｍ２において目標温度設定部１３ｂによって設定された着座面Ｓの目標温度Ｔｈｔを、第一の所定設定温度Ｔｈｐ１に変更する。
【００９９】
これによれば、一日のうち使用者の使用回数が第二所定回数以上かつ第一所定回数未満である第二時間Ｔｍ２内において、使用者が選択した着座面Ｓの目標温度Ｔｈｔである選択温度Ｔｈｓが第一の所定設定温度Ｔｈｐ１より高い温度であり、かつ、室内の温度が所定温度Ｔｈｐｓより高い場合、便座装置１は、着座面Ｓの目標温度Ｔｈｔを低くするように第一の所定設定温度Ｔｈｐ１に変更する。よって、使用者の使用回数が比較的少ない場合に、選択温度Ｔｈｓおよび室内の温度に応じて、着座面Ｓの温度を、使用者が冷たいと感じない程度の温度にすることができる。したがって、便座装置１の消費電力量を適切に抑制しつつ、便座部２０の温度に対する使用者の快適性の低下を抑制することができる。
【０１００】
また、制御装置１３は、複数の時間帯のうち、使用回数導出部１３ｇによって導出された使用回数が第一所定回数より少ない第二所定回数未満となった時間帯を第三時間Ｔｍ３として検出する第三時間検出部１３ｊをさらに備えている。目標温度変更部１３ｋは、第三時間検出部１３ｊによって検出された第三時間Ｔｍ３内において目標温度設定部１３ｂによって設定された着座面Ｓの目標温度Ｔｈｔを、複数の設定温度のうち第一の所定設定温度Ｔｈｐ１より温度が低い第二の設定温度に変更する。
【０１０１】
これによれば、一日のうち使用者の使用回数が第一所定回数より少ない第二所定回数未満である第三時間Ｔｍ３内において、便座装置１は、着座面Ｓの目標温度Ｔｈｔを第一の所定設定温度Ｔｈｐ１より低くするように第二の所定設定温度Ｔｈｐ２に変更する。よって、使用者の使用回数が極めて少ない場合に、着座面Ｓの温度を低くすることができる。したがって、便座装置１の消費電力量をさらに適切に抑制することができる。
【０１０２】
なお、上述した実施形態において、便座装置の一例を示したが、本発明はこれに限定されず、他の構成を採用することもできる。例えば、便座装置１は、温水洗浄便座であるが、これに代えて、洗浄装置を備えない暖房便座としても良い。この場合、便座装置１がリモコン装置４０を備えないようにしても良い。また、この場合、選択スイッチＳＷ２が便座装置本体部１０に設けられるようにしても良い。
【０１０３】
また、上述した実施形態において、制御装置１３は、第三時間検出部１３ｊを備えているが、これに代えて、第三時間検出部１３ｊを備えないようにしても良い。この場合、使用回数が極めて少ない第三時間Ｔｍ３を第二時間Ｔｍ２として第二時間検出部１３ｉによって検出するようにしても良い。すなわち、この場合、第二時間検出部１３ｉは、複数の時間帯のうち、使用回数導出部１３ｇによって導出された使用回数が第一所定回数未満となった時間帯を第二時間Ｔｍ２として検出する。また、この場合、図９および図１１に示すタイムチャートにおいて、第一〜第三の時間帯i〜iiiにおいては、第二時間Ｔｍ２に相当するが、第二状態Ｓ２でないため、目標温度Ｔｈｔが選択温度Ｔｈｓに設定される。
【０１０４】
また、上述した実施形態において、制御装置１３は、第一時間検出部１３ｈおよび第二時間検出部１３ｉの両方を備えているが、これに代えて、第一時間検出部１３ｈおよび第二時間検出部１３ｉの一方を備えないようにしても良い。
【０１０５】
制御装置１３が第二時間検出部１３ｉを備えない場合、使用回数が比較的少ない場合において第二状態Ｓ２が検出されたときにおいても、着座面Ｓの目標温度Ｔｈｔが変更されない。なお、この場合、第二状態検出部１３ｅを備えないようにしても良い。
【０１０６】
一方、制御装置１３が第一時間検出部１３ｈを備えない場合、使用回数が比較的多い場合において第一状態Ｓ１が検出されたときにおいても、着座面Ｓの目標温度Ｔｈｔが変更されない。なお、この場合、第一状態検出部１３ｄを備えないようにしても良い。
【０１０７】
また、上述した実施形態において、着座検出装置１１は、赤外線方式の距離センサであるが、これに代えて、使用者の人体の発する赤外線を検出する焦電センサ、または、マイクロ波を用いたドップラーセンサを用いるようにしても良い。
【０１０８】
また、本発明の要旨を逸脱しない範囲において、各温度センサ１２，２３の配置位置、発熱体２２ｂの配置、便座部２０の形状、各時間帯の数、および、各所定設定温度Ｔｈｐ１，Ｔｈｐ２，Ｔｈｐ３に対応する設定温度を変更するようにしても良い。
【符号の説明】
【０１０９】
１…便座装置、２…トイレルーム（室）、１１…着座検出装置、１２…室内温度センサ（第二温度センサ）、１３…制御装置、１３ａ…選択温度取得部、１３ｂ…目標温度設定部、１３ｃ…温度制御部、１３ｄ…第一状態検出部、１３ｅ…第二状態検出部、１３ｆ…記憶部、１３ｇ…使用回数導出部、１３ｈ…第一時間検出部、１３ｉ…第二時間検出部、１３ｊ…第三時間検出部、１３ｋ…目標温度変更部、２０…便座部、２２…加熱装置、２３…便座温度センサ（第一温度センサ）、Ｓ…着座面、Ｓ１…第一状態、Ｓ２…第二状態、Ｔｈｐ１…第一の所定設定温度、Ｔｈｐ２…第二の所定設定温度、Ｔｈｐ３…第三の所定設定温度、Ｔｈｐｓ…所定温度、Ｔｈｓ…選択温度、Ｔｈｔ…目標温度、Ｔｍ１…第一時間、Ｔｍ２…第二時間、Ｔｍ３…第三時間。
【図１】
2019013441.tif 000003
【図２】
2019013441.tif 000004
【図３】
2019013441.tif 000005
【図４】
2019013441.tif 000006
【図５】
2019013441.tif 000007
【図６】
2019013441.tif 000008
【図７】
2019013441.tif 000009
【図８】
2019013441.tif 000010
【図９】
2019013441.tif 000011
【図１０】
2019013441.tif 000012
【図１１】
2019013441.tif 000013